(57)【要約】
【課題】　表面に適度な摩擦力を付与し、若干不安定な状態で組み立てても、バランスが崩れることがなく、なおかつ積み木としての特性を維持した球状の積み木を提供し、さらにデザイン的にシンプルでありながら、教育効果と遊びの多様性を与え、カラフルな装飾が可能な、様々な可能性を持った球状の積み木を提供する。
【解決手段】　球体１の全周面に静電植毛法により多数の繊維３を、ほぼ均一な密度で、球体１の表面に垂直な方向に直立させて植え付けたものを、積み上げ用の単位ブロック１０として成り、任意のサイズの単位ブロック１０を複数個含むものとした。
【選択図】　図１
0003099180.tif 000002
【実用新案登録請求の範囲】
【請求項１】
　球体の全周面に静電植毛法により多数の繊維を、ほぼ均一な密度で、前記球体の表面に垂直な方向に直立させて植え付けたものを、積み上げ用の単位ブロックとして成り、任意のサイズの単位ブロックを複数個含むことを特徴とする球状の積み木。
【請求項２】
　請求項１に記載の球状の積み木において、
　前記球体は木製であることを特徴とする球状の積み木。
【請求項３】
　請求項１に記載の球状の積み木において、
　前記球体表面には微小面積の平坦部が設けられ、その平坦部に、支持針挿入孔を設けたことを特徴とする球状の積み木。
【請求項４】
　請求項１に記載の球状の積み木において、
　前記繊維は、透明のプラスチックから成り、前記球体表面に任意の着色が施されており、前記繊維は前記球体表面に透明または半透明の接着剤で固定されていることを特徴とする球状の積み木。
【請求項５】
　請求項１に記載の球状の積み木において、
　前記繊維は、所定の色もしくは模様が施された線状体から成ることを特徴とする球状の積み木。
【請求項６】
　請求項１に記載の球状の積み木において、
　前記球体はピンポン玉であることを特徴とする球状の積み木。
【考案の詳細な説明】
【技術分野】
【０００１】
　本考案は、カラフルで積み上げ易く、様々な遊び方のできる球状の積み木に関する。
【背景技術】
【０００２】
　積み木は、シンプルであって多様な遊び方のできる子供の遊び道具として広く普及している。積み木は様々な形状のブロックを組み合わせて構成される。これらのブロックを積み上げて遊ぶわけであるが、バランスよく積み上げないと、崩れてしまう。そこで、積み上げたものが崩れないように、面ファスナーを表面に固定した積み木も開発されている（特許文献１）。
【特許文献１】特開２００１−３８０６３号公報
【考案の開示】
【考案が解決しようとする課題】
【０００３】
　ところで、上記のような従来の積み木には、次のような解決すべき課題があった。
　例えば、多数のブロックを相互に連結して遊ぶ組み立ておもちゃが知られている。このおもちゃのブロックには、その表面に他のブロックと連結できるような凹凸が設けられている。これは、積み木とは別の遊び方ができる面白さがある。しかしながら、積み木にこのような連結機能を持たせてしまうと、積み木本来のバランスを取りながら積み上げるという面白さや、教育機能がなくなってしまう。
　本考案は以上の点に着目してなされたもので、表面に適度な摩擦力を付与し、若干不安定な状態で組み立てても、バランスが崩れることがなく、なおかつ積み木としての特性を維持した球状の積み木を提供することを目的とする。
　本考案は、さらにデザイン的にシンプルでありながら、教育効果と遊びの多様性を与え、カラフルな装飾が可能な、様々な可能性を持った球状の積み木を提供することを目的とする。
【課題を解決するための手段】
【０００４】
　本考案は次の構成により上記の課題を解決する。
　〈構成１〉
　球体の全周面に静電植毛法により多数の繊維を、ほぼ均一な密度で、上記球体の表面に垂直な方向に直立させて植え付けたものを、積み上げ用の単位ブロックとして成り、任意のサイズの単位ブロックを複数個含むことを特徴とする球状の積み木。
【０００５】
　球体の表面に垂直な方向に直立させて植え付けた繊維によって、積み上げた球体相互の接触面での滑りが防止される。従って、球状の任意サイズの単位ブロックを積み上げたときに、非常に自由度の高い積み方ができ、容易には崩れないという特徴がある。さらに、積み上げた状態で全体を水平方向に移動させても、積み木がなかなか崩れないという効果もある。また、繊維同士がからまないので、積み上げた各単位ブロック相互間の分離が容易である。従って、積み上げ後に一つの単位ブロックを切り離すときに、積み木を崩すような力が加わらないという効果がある。
【０００６】
　〈構成２〉
　構成１に記載の球状の積み木において、上記球体は木製であることを特徴とする球状の積み木。
【０００７】
　球体を積み木に使用し、球体の表面に植え付けた繊維の特性を生かして積み上げるとき、球体の重量が問題になる。球体を木製にすると、加工も容易で、積み木としての質感もきわめてよい。
【０００８】
　〈構成３〉
　構成１に記載の球状の積み木において、上記球体表面には微小面積の平坦部が設けられ、その平坦部に、支持針挿入孔を設けたことを特徴とする球状の積み木。
【０００９】
　球体表面に微小面積の平坦部を設ける。微小面積というのは、球体の形状を損なわない程度の面積のことをいう。この平坦部に静電植毛法を実施するときの支持針を突き刺すようにすれば、球体を安定に支持して、球体全周面にほぼ均一な密度で植毛することができる。また、球は転がり易いが、平坦部は、球の安定状態で下側になる。その平坦部に支持針を突き刺す孔があると、他の面にあるよりも、目立たないという効果がある。また、球体をプラスチック製としたときは、この平坦部にバリが位置するように成型するとよい。
【００１０】
　〈構成４〉
　構成１に記載の球状の積み木において、上記繊維は、透明のプラスチックから成り、上記球体表面に任意の着色が施されており、上記繊維は上記球体表面に透明または半透明の接着剤で固定されていることを特徴とする球状の積み木。
【００１１】
　球体表面に着色がなされていると、透明のプラスチックから成る繊維を植毛したとき、球体の表面色が外部に反映される。これにより、ブロックの美観を整えることができる。
【００１２】
　〈構成５〉
　構成１に記載の球状の積み木において、上記繊維は、所定の色もしくは模様が施された線状体から成ることを特徴とする球状の積み木。
【００１３】
　球体に着色がされていないときは、繊維自体に着色を施し繊維に模様を施すことで、積み木の各ブロックの美観を整えることができる。
【００１４】
　〈構成６〉
　構成１に記載の球状の積み木において、上記球体はピンポン玉であることを特徴とする球状の積み木。
【００１５】
　きわめて軽量で、木製の球体を使用した場合と全く異なる遊び方が可能である。ピンポン玉を使用したのは、強度上、実用上、素材として最適だからである。
【考案を実施するための最良の形態】
【００１６】
　以下、本考案の実施の形態を、実施例を用いて説明する。
【実施例１】
【００１７】
　図１は、本考案による球状の積み木の実施例を示すもので、（ａ）は３つの単位ブロックを積み上げた状態を示す縦断面図、（ｂ）はその主要部縦断面図である。
　この積み木は、任意のサイズの、球状の単位ブロックを含んでいる。積み木おもちゃとしては、これ以外に、例えば、直方体や三角柱や円柱のブロックを含んでいても差し支えない。図の例では、全く同一径の、球状の単位ブロック１０を３つ積み上げたところを示した。各単位ブロック１０は、いずれも、球体１の全周面に静電植毛法により多数の繊維３を植え付けたものである。これらは同一構造のため、対応する部分に同一の符号を付した。繊維３は、球体１の周面にほぼ均一な密度で植え付けられている。また、繊維３は、静電植毛法を利用して、球体１の表面に垂直な方向に直立させて植え付けられている。
【００１８】
　この実施例では、球体１は、木材を球状に直径３〜５センチメートル程度に切削加工したものを使用している。その表面に、後で説明するような要領で、６ナイロン製の繊維３を植毛している。繊維３は、球体１の表面に、水性接着剤により固定されている。繊維３の太さは３デニール、繊維３の長さは１ミリメートル、球体１の表面が外部からほとんど見えなくなる程度の密度で植毛をした。繊維３には、赤、黄、青等の任意の着色が施されている。手触りは比較的柔らかく、球体１の表面に直立させて植え付けられていても、繊維３の先端に触れて痛みを感じるようなことはない。
【００１９】
　このように、球体１の表面に繊維３を植毛すると、図１の（ａ）に示すように、いくつかの単位ブロック１０を積み上げたとき、単位ブロック相互の接触面で適度な摩擦力を生じ、接触面の滑りを阻止する。例えば、木製の球体を積み上げると、球体表面の滑りによって積み上げたものが崩れ易く不安定になる。しかしながら、本考案によれば、いくつもの球体を崩れないように、全体として複雑な形状に積み上げることが可能になる。即ち、直方体や三角柱といった一般的な形状のブロックを使用した積み木とは異なり、球状のブロックを組み合わせた趣向の異なる積み木が容易に楽しめる。
【００２０】
　また、各単位ブロックは、球体１の表面に繊維３を植毛しただけのものであるから、相互に接着したり、連結したりすることはない。図１の（ｂ）に示すように、２つの単位ブロックの接触面５では、多数の繊維３が互いに組み合わさって相互に矢印Ａ方向の滑りを阻止しているが、繊維の長手方向、即ち、矢印Ｂの方向にはなんの抵抗も示さない。従って、通常の積み木と同様に、簡単に積み上げたり引き離したりすることができる。繊維３の長さを調整することによって、滑りやすさや手触り等も自由に調整することができる。また、面ファスナーのように服に絡みついたりするような問題もない。
【００２１】
　図２は、本考案の積み木の様々な遊び方を図示したものである。
　図２の（ａ）のように、例えば、３個の単位ブロック１０−２、１０−３、１０−４の上に１個の単位ブロック１０−１を乗せたとする。本考案のものは、すでに説明したように、このように球状体を積み上げても、安定にこの状態を保つことができる。また、このように積み上げた状態で、矢印９の方向にそっと押して、この状態を崩すことなく、移動させることもできる。
【００２２】
　また、図２の（ｂ）に示すように、多数の単位ブロック１０を、床の上に自由な組み合わせで並べて、任意の模様を描くことができる。それぞれの単位ブロックの接触面で滑りが阻止されるため、各単位ブロックが勝手に転がらない。模様の形状をそのまま保持することができる。積み木を積み上げるだけでなく、床面に並べて何かの形を描くようにして遊ぶことはよく行われる。しかし、球状のブロックは一般に、位置を固定しにくいから、並べて遊ぶには不向きである。本考案の球状積み木は、平面的に並べたり積み上げたり、自由な発想で遊ぶことができ、教育効果も期待できる。
【００２３】
　図２の（ｃ）は、それぞれ直径の異なる単位ブロック１０を自由に配列し、さらにその一部を積み上げたものである。こうした様々なサイズの、色とりどりの単位ブロックを組み合わせることによって、変化のある積み木を楽しむことができる。実際に、子供は、こうした単位ブロックを思い思いに積み上げたり、転がしたり、並べたり、ぶつけたりして多様な遊びをする。表面に繊維が植毛されているため、比較的手触りが柔らかく、落とした程度では床に傷を付けることがないといった効果もある。
【実施例２】
【００２４】
　図３は、積み木の単位ブロックの変形例を示す説明図である。
　図３の（ａ）に示すように、この単位ブロック１０の表面には、微小面積の平坦部１６が設けられている。この平坦部１６の中心には、静電植毛法を実施するときの支持針を突き刺す孔１４が設けられている。球体１を電界中に支持し、繊維３を静電気の力で直立させた状態で、球体表面に塗布した接着剤を固化させる作業中、この孔１４に支持針が挿入される。微小面積の平坦部には、孔１４の部分を除いて、その平坦面に垂直に繊維が植毛される。
【００２５】
　図３の（ｂ）に示すように、こうした構造の単位ブロック１０は、上記平坦面１６を下にして、そのまま積み上げても、崩れることがない。図３の（ｃ）にその部分拡大断面図を示す。図に示すように、下側の単位ブロックは、球面を上にしている。一方、上側の単位ブロック１０は、ちょうどその下側に平坦面１６が位置している。平坦面１６の下側に植毛された繊維３は、下側の単位ブロックの上面に植毛された繊維と噛み合っている。繊維間に絡み合いがないから、両者が球面の場合にはこの状態を維持することは難しい、しかしながら、このように一方の面が平坦面だと、積み上げが可能になり、さらに遊びの可能性を広げるという効果がある。従って、図３の（ｄ）に示すようにこれまで考えられなかったような、積み木遊びが可能になる。また、そのまま床に転がすと、図３の（ｅ）に示すように平坦面１６を下にした状態で安定する。そのとき、平坦面１６に開けた孔１４が隠れるから、孔１４によって美観を損なうことがない。
【実施例３】
【００２６】
　図４は、単位ブロックの着色方法を説明する説明図である。
　図４の（ａ）は、球体表面の一部を拡大して示した平面図である。繊維２１は、球体２０の表面がほぼ隠れる程度に十分に高い密度で植毛されている。このように植毛密度が高いと、球体１に着色を施していても、球体１の色は、繊維３に隠れて見えなくなる。従って、単位ブロックの色は繊維２１の着色により決定することができる。繊維２１は、着色されたプラスチック樹脂を延伸加工したものとすることができる。また、あるいは、図４の（ｂ）に示すように、無色の樹脂繊維３２の外周面に塗料３３を塗布して着色したものとすることができる。なお、図４の（ｂ）は、繊維の軸を通る縦断面図である。図４の（ｃ）と（ｄ）は、それぞれその他の変形例を示す単位ブロックの部分縦断面図である。
【００２７】
　球体に着色を施してその色を生かすこともできる。例えば、図４の（ｃ）に示す例では、球体３５の外周面に透明あるいは半透明の接着剤３６を塗布し、さらにその外側に透明の樹脂から成る繊維３１を植毛する。繊維３２は、その基部から先端に向かう方向に光を通す導光機能を持つ。従って、繊維３１が高密度で植毛されていても、球体３５の色がそのまま外部から観察できる。なお、繊維３１が、導光性のある着色プラスチックから成る場合には、繊維３１の色と球体３５の色が混合されて、様々な装飾効果をもたらすことができる。さらに、繊維３１の植毛密度を低下させると、繊維３１と球体３５の色の混合度合いを適度に調整することもできる。
【００２８】
　図４の（ｄ）に示した例は、球体４５が木材のような素材のときの着色方法を示す。予め、球体４５には、塗料４６により、着色を施しておく。その外周面に、透明あるいは半透明の接着剤３６を塗布し、さらにその外側に透明の樹脂から成る繊維３１を植毛する。このような構造によって、球体３５の素材が無色であっても、全体として一定の色を呈すことができる。
【００２９】
　上記の球体の素材には木材が最適である。外径数センチメートルのものにしたとき、適度な重量があり、積み上げたときの安定感がある。また、転がして遊ぶこともあり、堅さも適している。もし、プラスチックで球体を製造する場合は、木材と同程度の重量で同程度の堅さに材質を調整することが好ましい。
　一方、ピンポン玉の表面に静電植毛法により多数の繊維を植え付けたものを制作してみた。これは、きわめて軽量で、木材を素材としたものとは全く異なる性質の積み木を実現することかできる。また、ピンポン玉は、大量生産され、十分に機械的強度があるから、素材としてきわめて実用性が高いという効果がある。
【図面の簡単な説明】
【００３０】
【図１】本考案による球状の積み木の実施例を示す図で、（ａ）は３つの単位ブロックを積み上げた状態を示す縦断面図、（ｂ）はその主要部を示す縦断面図である。
【図２】本考案の積み木の様々な遊び方を示す図で、（ａ）は３個の単位ブロックの上に１個の単位ブロックを乗せた状態を示す説明図、（ｂ）は多数の単位ブロックを、床の上に自由な組み合わせで並べて任意の模様を描いた状態を示す説明図、（ｃ）は直径の異なる単位ブロックを自由に配列し、さらにその一部を積み上げた状態を示す説明図である。
【図３】積み木の単位ブロックの変形例を示す図で、（ａ）は単位ブロックの表面に設けられた微小面積の平坦部を示す説明図、（ｂ）は（ａ）の要部拡大図、（ｃ）はその部分拡大断面図、（ｄ）は積み木を積み重ねた状態を示す斜視図、（ｅ）は平坦面を下にした状態を示す説明図である。
【図４】単位ブロックの着色方法を説明する図で、（ａ）は、球体表面の一部を拡大して示した平面図、（ｂ）は繊維の軸を通る縦断面図、（ｃ）と（ｄ）は、それぞれその他の変形例を示す単位ブロックの部分縦断面図である。
【符号の説明】
【００３１】
　１　球体
　３　繊維
　５　２つの単位ブロックの接触面
１０　単位ブロック 
１４　孔
１６　平坦部
２０　球体
２１　繊維
３１  繊維
３２　樹脂繊維
３３　塗料
３５　球体
３６　接着剤
４５　球体
４６　塗料
【図１】
0003099180.tif 000003
【図２】
0003099180.tif 000004
【図３】
0003099180.tif 000005
【図４】
0003099180.tif 000006